(57)【要約】  本明細書において、光拡散器に関する、特に、投影された画像におけるモアレ模様を抑制する拡散器に関する装置および技術を開示する。当該装置は、微少焦点要素の配列または反射器、および光偏光格子を備えてもよい。当該光偏光格子は、光ビームの部分間で偏光を変化させるよう構成され、当該微少焦点要素の配列または当該反射器は、光ビームを拡散させるよう構成され、偏光差を有する光ビームの当該部分が、点において交わるようになっている。
2017534897.tif 000002
【特許請求の範囲】
【請求項１】
光ビームを受け、前記光ビームの一部分の偏光を変化させる光偏光格子と、
前記光偏光格子に光学的に結合され、前記光ビームを拡散する微少焦点要素の配列と
を備える装置。
【請求項２】
前記光偏光格子は、複数のセルを備え、
前記複数のセルの第１群は、前記光ビームの少なくとも第１波の偏光を変化させる、請求項１に記載の装置。
【請求項３】
前記複数のセルの第２群は、前記光ビームのうちの実質的に最初の偏光を有する少なくとも第２波を透過させる、請求項２に記載の装置。
【請求項４】
前記微少焦点要素の配列は、前記第１および第２波を点で交わるように拡散する、請求項３に記載の装置。
【請求項５】
前記第１波の偏光および前記第２波の前記偏光は、前記点において実質的に非干渉である、請求項４に記載の装置。
【請求項６】
前記第１群における前記複数のセルの光軸の配向は、前記第２群における前記複数のセルの光軸の配向とは異なる、請求項３から５のいずれか一項に記載の装置。
【請求項７】
前記第１群における前記複数のセルは、少なくとも第１材料から構成され、
前記第２群における前記複数のセルは、少なくとも第２材料から構成され、
前記第１材料は、前記第２材料とは異なる、請求項３から６のいずれか一項に記載の装置。
【請求項８】
前記第１群における前記複数のセルは、実質的に透過性である材料から構成され、
セルの前記第２群における前記複数のセルは、反射材から構成される、請求項３から７のいずれか一項に記載の装置。
【請求項９】
前記光ビームは、干渉性であり、かつ直線偏光を有し、
前記光ビームの拡散された前記第１波は、第１直線偏光を有し、
前記光ビームの拡散された前記第２波は、前記第１直線偏光に対して直交する第２直線偏光を有する、請求項３から８のいずれか一項に記載の装置。
【請求項１０】
前記光ビームは、円偏光または楕円偏光を有し、
前記光ビームの拡散された前記第１波は、第１円偏光または楕円偏光を有し、
前記光ビームの拡散された前記第２波は、前記第１円偏光または楕円偏光とは逆の左右像を有する第２円偏光または楕円偏光を有する、請求項３から８のいずれか一項に記載の装置。
【請求項１１】
光拡散器と、
光ビームを受け、前記光ビームに前記光拡散器を走査させる走査ミラーシステムと
を備えるシステムであり、
前記光拡散器は、
光ビームを受け、前記光ビームの一部分の偏光を変化させる光偏光格子と、
前記光偏光格子に光学的に結合され、光ビームを拡散する微少焦点要素の配列と
を有する、システム。
【請求項１２】
前記走査ミラーシステムは、少なくとも１つの軸を中心に回転するミラーを備え、前記光ビームに前記光拡散器を走査させる、請求項１１に記載のシステム。
【請求項１３】
前記光偏光格子は、複数のセルを備え、
前記複数のセルの第１群は、前記光ビームの少なくとも第１波の偏光を変化させ、
前記複数のセルの第２群は、前記光ビームのうちの実質的に最初の偏光を有する少なくとも第２波を透過させる、請求項１１又は１２に記載のシステム。
【請求項１４】
前記微少焦点要素の配列は、前記第１および第２波を点で交わるように拡散し、
前記第１波の偏光および前記第２波の前記偏光は、前記点において実質的に非干渉である、請求項１３に記載のシステム。
【請求項１５】
前記微少焦点要素の配列は、前記走査ミラーシステムと前記光偏光格子との間に配置される、請求項１１から１４のいずれか一項に記載のシステム。
【請求項１６】
前記光偏光格子は、前記走査ミラーシステムと前記微少焦点要素の配列との間に配置される、請求項１１から１５のいずれか一項に記載のシステム。
【請求項１７】
光源からの光ビームを受ける工程と、
前記光ビームの第１部分の偏光を変化させる工程と、
前記光ビームを拡散し、前記光ビームの前記第１部分と前記光ビームの第２部分とを視点へ透過させる工程と
を備える方法。
【請求項１８】
前記光ビームの前記第１部分および前記光ビームの前記第２部分は、前記視点において異なる偏光を有する、請求項１７に記載の方法。
【請求項１９】
光源からの光ビームを受ける手段と、
前記光ビームの第１部分の偏光を変化させる手段と、
前記光ビームを拡散し、前記光ビームの前記第１部分と前記光ビームの第２部分とを視点へ透過させる手段と
を備える装置。
【請求項２０】
前記光ビームを拡散する前に、前記光ビームの前記部分の前記偏光を変化させる手段を備える、請求項１９に記載の装置。
【請求項２１】
光ビームの複数の波を受ける光偏光格子と、
前記光偏光格子に光学的に結合され、前記光ビームを拡散する微少焦点要素の配列と
を備えるシステムであり、
前記複数の波は、それぞれ初期偏光を有し、
前記光偏光格子は、複数のセルを備え、
前記複数のセルの第１群は、前記複数の波のうち少なくとも第１波の前記初期偏光を変化させ、
前記複数のセルの第２群は、前記複数の波のうち前記初期偏光を有する少なくとも第２波を透過させる、システム。
【請求項２２】
前記光ビームを受け、前記光ビームに前記光偏光格子を走査させる走査ミラーシステムを備える、請求項２１に記載のシステム。
【請求項２３】
前記微少焦点要素の配列は、前記複数の波のうち、前記第１波および前記第２波を点で交わるように拡散し、
前記第１波の偏光と前記第２波の前記偏光は、前記点において実質的に非干渉である、請求項２２に記載のシステム。
【請求項２４】
前記初期偏光は、直線偏光であり、
前記複数のセルの前記第１群は、前記複数の波のうち少なくとも前記第１波の前記初期偏光を変化させ、前記初期偏光に対して直交になるようにする、請求項２３に記載のシステム。
【請求項２５】
前記初期偏光は、円偏光であり、
前記複数のセルの前記第１群は、前記複数の波のうち少なくとも前記第１波の前記偏光の左右像を変化させる、請求項２３に記載のシステム。
【発明の詳細な説明】
【技術分野】
【０００１】
［関連出願の相互参照］
本出願は、先に出願され（出願日：２０１４年１０月２２日）、発明の名称が「光学システム用モワレ模様防止拡散器」である米国特許仮出願第６２／０６７，３５２号の利益および優先権を主張し、その主題は、すべて参照によって本明細書に組み込まれる。
【０００２】
本明細書の実施形態は、概ね、光学システムに関し、特に、光学システム用拡散器に関する。
【背景技術】
【０００３】
最近の画像投影システムは、１つ以上の光拡散器を備えている場合がある。一般に、光拡散器を実装することで、光ビームを拡散する場合がある。投影システムに関しては、拡散器を実装することで、画像を投影するための視界を形成する場合がある。最近の投影システムは、マイクロレンズやマイクロミラーを用いることで、拡散器を実現する場合がある。しかし、マイクロミラーやマイクロレンズが実装された拡散器は、投影された画像にはっきりとしたモワレ模様を引き起こす場合がある。
【図面の簡単な説明】
【０００４】
【図１】図１は、第１の例示的な光学システムの構成図を示す。
【図２】図２は、第２の例示的な光学システムの構成図を示す。
【図３】図３は、第３の例示的な光学システムの構成図を示す。
【図４】図４は、第４の例示的な光学システムの構成図を示す。
【図５】図５は、第５の例示的な光学システムの構成図を示す。
【図６】図６は、第６の例示的な光学システムの構成図を示す。
【図７】図７は、第１の例示的な光偏光格子の構成図を示す。
【図８】図８は、第２の例示的な光偏光格子の構成図を示す。
【図９】図９は、第３の例示的な光偏光格子の構成図を示す。
【図１０】図１０は、第４の例示的な光偏光格子の構成図を示す。
【図１１】図１１は、第１の例示的な論理フローの構成図を示す。
【図１２】図１２は、第２の例示的な論理フローの構成図を示す。
【図１３】図１３は、第１の例示的な製造途中の拡散器の構成図を示す。
【図１４】図１４は、実施形態に係るコンピュータ可読媒体を示す。
【図１５】図１５は、実施形態に係る装置を示す。
【発明を実施するための形態】
【０００５】
本明細書に記載される様々な実施形態は、概ね光拡散器に関する。特に、本開示を適用し、画像投影システム用光拡散器を設けてもよい。様々な実施例には、光の複数の干渉性である波を拡散するよう構成されている微少焦点要素の配列と、光波間で偏光に差をつけるよう構成されている光偏光格子とを備える光拡散器が含まれてもよい。
【０００６】
ここで、図面を参照する。ただし、類似する参照符号は、全体を通じて、類似する要素を参照するために用いられるものとする。以下、説明の目的で、多数の具体的な詳細事項を取り上げ、明細書の十分な理解ができるようにしている。しかし、それら具体的な詳細事項がなくても、新規な実施形態が実施可能であることが明らかな場合もある。場合により、周知の構造および装置を構成図形式で示し、それらの説明を容易にする。その目的は、十分な記載をし、請求項の範囲内におけるすべての修正、同等物および代替物を十分に説明することである。
【０００７】
また、変数記号（例えば、「ａ」、「ｂ」、「ｃ」）を参照する場合がある。これらの変数記号は、１つ以上の構成要素を実装してもよい構成要素を示すために用いられる。必ずしも複数の構成要素が存在する必要はなく、さらに、複数の構成要素が実装される場合でも、それらは同一である必要はない、ということに留意されたい。それよりも、変数記号は、説明を理解しやすくする目的で、図面内の参照される構成要素に対して用いられる。
【０００８】
図１は、光学システム１００の実施例を示す構成図である。一般に、光学システム１００は、どのような投影システムに実装されてもよい。いくつかの実施例では、システム１００は、ヘッドアップディスプレイ（ＨＵＤ）システムに実装されてもよい。このようなＨＵＤシステムは、例えば、自動車、飛行機、列車、ボート、メガネ、頭部装着型装置などに実装されてもよい。なお、光学システム１００は、光投影システムと表されてもよい。ただし、実施例は、これらの文脈に限定されない。
【０００９】
システム１００は、光源１０３を備えることができる。いくつかの実施例では、光源１０３は、レーザ光源であってもよく、このレーザ光源は、光ビーム１０５を発する。いくつかの実施例によれば、光ビーム１０５は、直線偏光を有してもよい。なお、光ビーム１０５は、いくつかの光波から構成されてもよく、これらの光波は、それぞれ、実質的に同一の偏光を有する。また、光ビーム１０５は、干渉性であってもよい。
【００１０】
システム１００はまた、走査ミラーシステム１０６を備える。光源１０３および走査ミラーシステム１０６は、光源１０３が発する光を走査ミラーシステム１０６が受けることができるように、配置されている。
【００１１】
いくつかの実施例によれば、走査ミラーシステム１０６は、微少電気機械システム（ＭＥＭＳ）走査ミラーであってもよい。このようなＭＥＭＳシステムは、例えば、ミラー１０７から構成される可動板を有することができ、このミラー１０７は、互いに直交する２つの軸を中心に回転するように配置されている。例えば、当該図面は、軸１０９ａおよび１０９ｂを中心に回転するように配置されているミラー１０７を備えるシステム１０６を示している。いくつかの実施例によれば、ミラー１０７は、単一の軸のみを中心に回転してもよい。別の実施例として、システム１０６は、複数のミラー（例えば、互いに直交する複数の軸を中心に回転するように配置されている２つのミラー）を備えてもよい。実施例は、これらの文脈に限定されない。
【００１２】
一般に、走査ミラーシステム１０６は、光ビーム１０５を投影面に走査することができ、実際の画像を当該投影面に投影させる。システム１００はまた、光の拡散器１１１を備えており、拡散器１１１に入射する光を拡散する。特に、拡散器１１１は、拡散器１１１に入射する光を透過および拡散するように構成されている。例えば、光ビーム１０５からの光は、拡散器１１１に入射するように示され、拡散された光（例えば、波１０５−１、１０５−２等）は、拡散器１１１を透過するように示される。なお、光波１０５−１および１０５−２は、光線と表されてもよい。いくつかの実施例によれば、拡散器１１１は、第１透過基板１１３と第２透過基板１１５とを備える。いくつかの実施例では、基板１１１および／または１１３は、ガラス、石英、サファイア、ポリエチレンテレフタラート（ＰＥＴ）、ポリカーボネート、ポリメタクリル酸メチル（ＰＭＭＡ）、ポリマー、プラスチックまたはこれらの物質の組み合わせから構成してもよい。
【００１３】
拡散器１１１はまた、微少焦点要素１１７の配列を備える。いくつかの実施例では、微少焦点要素１１７の配列は、基板１１５上に配置してもよい。いくつかの実施例では、微少焦点要素１１７は、凸形状を有してもよい。一般に、微少焦点要素１１７は、少なくとも部分的に光ビーム１０５を伝達する（すなわち、透過させる）。いくつかの実施例では、微少焦点要素１１７は、ガラス、石英、サファイア、ＰＥＴ、ポリカーボネート、ＰＭＭＡ、ポリマー、プラスチックまたはこれらの物質の組み合わせから構成することができる。いくつかの実施例では、微少焦点要素１１７は、１μｍから５０００μｍの間の直径を有してもよい。いくつかの実施例では、微少焦点要素１１７は、５０μｍから１０００μｍの間の直径を有してもよい。
【００１４】
拡散器１１１はまた、光偏光格子１１８を備えることができる。いくつかの実施例では、光偏光格子１１８は、第１基板１１３と第２基板１１５との間に配置される。一般に、光偏光格子１１８は、いくつかのセル（または領域）１１９−ａ（ａは、正の整数）を備える模様構造を有してもよい。例えば、セル１１９−１、１１９−２、１１９−３および１１９−４を示す。一般に、セル１１９−ａのうちいくつか（またはすべて）は、当該セルを透過する光の偏光を修正または変化させるように構成されてもよい。いくつかの実施例では、セル１１９−ａのうちいくつかは、当該セルを透過する光の偏光を、さまざまな方法で変化させるように構成されてもよい。例えば、セル１１９−１および１１９−３が、これらのセルを通過する光の偏光を第１の方法で変化させるように構成され、その一方、セル１１９−２および１１９−４が、偏光の実質的な修正をしないで光を透過させるように構成されてもよい。別の実施例として、セル１１９−１および１１９−３が、これらのセルを通過する光の偏光を第１の方法で修正するように構成され、その一方、セル１１９−２および１１９−４が、これらのセルを通過する光の偏光を第２の方法で修正するように構成されてもよい。ここで、第１および第２の方法は、異なっていてもよい。偏光を修正する方法の追加の実施例を、より詳細に以下に記載する。
【００１５】
一般に、セル１１９−ａは、セル群１２０にグループ化される。例えば、第１セル群１２０−１および第２セル群１２０−２を設けてもよい。各セル群１２０は、交互に配置されるセル１１９を備えてもよい。例えば、セル１１９−１、１１９−３等がセル群１２０−１に備えられ、その一方、セル１１９−２、１１９−４等がセル群１２０−２に備えられもよい。いくつかの実施例によれば、セル１１９−ａを、各微少焦点要素１１７毎に備えてもよい。さらに、いくつかの実施例によれば、セル１１９−ａは、微少焦点要素１１７のそれぞれに位置合わせされてよい。なお、直交する２つの直線偏光は、実質的に互いに干渉しない、または、右円偏光および左円偏光は、実質的に互いに干渉しないことを注記する。例えば、連続する２つの微少焦点要素１１７を透過した光が直線偏光を有し、これらの直線偏光が互いに直交する場合、これら連続する２つの微少焦点要素を透過した光は、実質的に互いに干渉しない。よって、セル１１９−３を少なくとも１度横切って（例えば、セル１１９−３を透過するなどして）拡散された光波と、セル１１９−４を少なくとも１度横切って（例えば、セル１１９−４を透過するなどして）拡散された光波とは、互いに干渉しない。
【００１６】
例えば、連続する複数のセル（例えば、セル１１９−３および１１９−４など）に入力される光波（例えば、光ビーム１０５の一部）がそれぞれ直線偏光を有する場合、それらのセルから発せられ拡散された光波（例えば、光波１０５−１、１０５−２など）は、互いに直交する偏光を有する。他方、入力される光波がそれぞれ円偏光または楕円偏光を有する場合、拡散された光波は、互いに逆の電界の回転方向を有する。特に、一方の光波（例えば、波１０５−１）の回転方向が左向きで、他方の光波（例えば、波１０５−２）の回転方向が右向きであってもよい。言い換えると、これは、拡散された光波の偏光の左右像が、互いに異なっているということである。いくつかの実施例によれば、入力される光波は、直線偏光を有することができ、この直線偏光が右円偏光または右楕円偏光および／または左円偏光または左楕円偏光に変換される。いくつかの実施例によれば、入力される光は、円偏光を有することができ、出力される波は、２つの直交する直線偏光の光波であり得る。
【００１７】
上述のように、いくつかの実施例によれば、特定の数のセル（例えば、セル１１９−１、１１９−３等）を含む第１セル群（例えば、群１２０−１など）は、光ビームの偏光を変化させるように配置され、その一方、その他のセル（例えば、セル１１９−２、１１９−４等）を含む別のセル群（例えば、群１２０−２など）は、当該セルを通過する光の偏光を実質的には修正しないように構成されている。例えば、セル１１９−ａに入射する光波が直線偏光を有すると仮定して、図１には、セル１１９−１、１１９−３等が示されており、これらのセル１１９−１、１１９−３等は、偏光を実質的に９０度回転させるように構成されており、回転させられた偏光が入射光の偏光に対して直交するようになっている。よって、拡散器１１１を透過し拡散された光波は、実質的に互いに干渉しなくてもよい。例えば、光波１０５−１および１０５−２が点１２１において入射しているのが示されている。しかし、光波１０５−１の偏光は、９０度回転し、光波１０５−２の偏光に対して直交しているので、これらの波は実質的に互いに干渉しなくてもよい。
【００１８】
いくつかの実施例では、光偏光格子１１８のいくつかのセル１１９−ａは、リターダとしても知られる波長板であってもよい。具体的な実施例として、それらのセル１１９−ａは、直線偏光を有する光の偏光方向を変えるように構成された半波長板であってもよい。別の具体的な実施例として、それらのセル１１９−ａは、直線偏光を有する光を円偏光を有する光に変換するように、または、円偏光を有する光を直線偏光を有する光に変換するように構成された四分の一波長板であってもよい。いくつかの実施例では、四分の一波長板は、楕円偏光を生成するために実装されてもよい。いくつかの実施例では、それらのセル１１９−ａは、光配向波長板であってもよい。いくつかの実施例によれば、光偏光要素１１８、特に、波長板は、複屈折材料（例えば、石英、液晶、架橋性液晶、プラスチックまたは雲母）から作ることができる。いくつかの実施例では、複屈折材料は、当該複屈折材料を通過する光の配向とは異なる屈折指数を有してもよい。
【００１９】
光偏光格子１１８のセル１１９−ａが四分の一波長板である場合、第１群のセル（例えば、セル１１９−１、１１９−３等）の光軸は、入力される偏光に対して＋４５度に調整し、右円偏光を得るようにしてもよい。第２群のセル（例えば、セル１１９−２、１１９−４等）の光軸は、入力される偏光に対して−４５度の向きに調整し、出力される偏光が左円偏光となるようにしてもよい。右円偏光を有する光および左円偏光を有する光は、実質的に互いに干渉することはなく、その結果、モワレ模様は生成されず、または、点１２１において抑制される。
【００２０】
いくつかの実施例では、光偏光格子１１８は、架橋性液晶から構成してもよい。いくつかの実施例では、第１群のセル（例えば、セル１１９−１、１１９−３等）は第１架橋性液晶材料から構成し、その一方、第２群のセル（例えば、セル１１９−２、１１９−４等）は第２架橋性液晶材料から構成するようにしてもよい。ここで、第１および第２の材料は、異なっている。いくつかの実施例では、セル１１９−ａは、同じ種類の架橋性液晶材料から構成してもよいが、それらの光軸が異なる配向となってもよい。特に、セル１１９−１、１１９−３等は、それらの光軸が第１配向となり、その一方、セル１１９−２、１１９−４等は、それらの光軸が第２配向となってもよい。ここで、第１配向および第２配向は、異なっている。
【００２１】
なお、波長板の挙動は、システム構成（例えば、結晶の厚さ、光ビームの入射角、光の波長、光軸の配向および屈折指数のばらつき）に依存してもよい。これらのパラメータ間の関係を適切に選択することにより、光波の２つの偏光成分（水平および垂直偏光成分）間の位相のずれを制御することができ、よって、その偏光を変化させることができる。
【００２２】
図２は、光学システム２００の実施例を示す構成図である。光学システム２００は、説明が理解しやすいように、図１の識別番号を参照かつ使用して、記載される。ただし、当該実施例は、本文脈に限定されない。
【００２３】
なお、システム２００は、システム１００に示されるもの（光源１０３および走査ミラーシステム１０６を含む）と類似および／または同一のいくつかの構成要素を備えてもよい。ただし、システム２００は、微少焦点要素２１７の配列を備える拡散器２１１を備える。一般に、微少焦点要素２１７は、微少焦点要素１１７に類似してもよいが、顕著な違いとして、微少焦点要素２１７は、示されているように、凹形状である。拡散器２１１は、光ビーム１０５からの波が拡散器２１１を透過する点で、拡散器１１１と同様に機能してもよく、また、偏光格子１１８の隣接するセル１１９−ａを透過する光波が実質的に互いに干渉しないように、それらの偏光が偏光格子１１８により修正されるようにしてもよい。
【００２４】
図３は、光学システム３００の実施例の構成図である。光学システム３００は、説明が理解しやすいように、図１の識別番号を参照かつ使用して、記載される。
【００２５】
なお、システム３００は、システム１００に示されるもの（光源１０３および走査ミラーシステム１０６を含む）と類似および／または同一のいくつかの構成要素を備えてもよい。ただし、システム３００は、（図１および２では光ビーム１０５を透過させるのに対して）光ビーム１０５を反射させることにより機能する拡散器３１１を備える。拡散器３１１は、模様付き反射面３２３に配置される微少焦点要素１１７の配列を備えてもよい。特に、微少焦点要素１１７の配列は、走査ミラーシステム１０６に対向する模様付き反射面に配置されるように示されている。このように、光源１０３が発しミラー１０７に反射した光ビームは、微少焦点要素１１７の配列を通過して、面３２３に反射する。
【００２６】
いくつかの実施例では、模様付き反射面３２３の表面領域は、微少焦点レンズ１１７の配列の正面領域と実質的に同等であってもよい。拡散器３１１はまた、模様付き反射面３２３と背面反射面３２５との間に配置される偏光格子３１８（例えば、四分の一波長板）を備えてもよい。示されているように、模様付き反射面３２３は、反射面３２３が微少焦点レンズ１１７の配列のうち交互のレンズの間に配置されるように、模様付けされている。なお、反射面３２３は、前述のセル１１９−ａに類似するセルまたは部位を有してもよく、これらの模様を表面３１８に付けることができる。
【００２７】
動作中に、光ビーム１０５が微少焦点レンズ１１７の配列に入射すると、当該光ビーム１０５は当該配列を透過する。レンズが反射面３２３を覆うように配置されているので、光ビーム１０５は、跳ね返されて微少焦点レンズに入ると、入射時と同じ偏光で拡散され、拡散された光ビームを形成する。特に、光ビーム１０５の光波１０５−２は、反射面３２３に入射し、実質的に同じ偏光で跳ね返される。逆に、光ビーム１０５が反射面３２３に入射しない場合、当該光ビーム１０５は、光偏光格子３１８を通過し、面３２５に反射する。特に、光ビーム１０５が偏光格子３１８を初めて通過する時、偏光は、直線偏光から円偏光に変わる。そして、当該ビームはミラー３２５に反射し、偏光の左右像が右円偏光から左円偏光に変化する。そして、当該ビームは再び偏光格子３１８を通過し、偏光が円偏光から直線偏光に変化する。しかし、左右像がミラー３２５により変化したので、当該光ビームの偏光は、最初の偏光に対して直交する。例えば、光ビーム１０５-1の偏光は、偏光格子３１８およびミラー３２５の作用により、最初の偏光から直交するように変化している。
【００２８】
よって、拡散された光波１０５−１および１０５−２は、実質的に互いに干渉しなくてもよく、これらの波が点１２１において交わるとき、モワレ模様が抑制される。
【００２９】
図４は、光学システム４００の実施例を示す構成図である。光学システム４００は、説明が理解しやすいように、図１−３の識別番号を参照かつ使用して、記載される。ただし、当該実施例は、本文脈に限定されない。
【００３０】
なお、システム４００は、システム３００に示されるもの（光源１０３および走査ミラーシステム１０６を含む）と類似および／または同一のいくつかの構成要素を備えてもよい。ただし、システム４００は、微少焦点要素２１７の配列を備える拡散器４１１を備える。一般に、微少焦点要素２１７は、微少焦点要素１１７に類似してもよいが、顕著な違いとして、微少焦点要素２１７は、示されているように、凹形状である。拡散器４１１は、光ビーム１０５からの波が拡散器４１１に反射する点で、拡散器３１１と同様に機能してもよく、また、拡散器に反射する光波（例えば、拡散された光波１０５−１および１０５−２あるいは拡散された光ビームなど）が実質的に互いに干渉しないように、それらの偏光が偏光格子３１８により修正されるようにしてもよい。
【００３１】
図５は、光学システム５００の実施例の構成図である。光学システム５００は、説明が理解しやすいように、図１の識別番号を参照かつ使用して、記載される。ただし、当該実施例は、本文脈に限定されない。
【００３２】
なお、システム５００は、システム１００に示されるもの（光源１０３および走査ミラーシステム１０６を含む）と類似および／または同一のいくつかの構成要素を備えてもよい。ただし、システム５００は、（図１および２では光ビーム１０５を透過させるのに対して）光ビーム１０５を反射させることにより機能する拡散器５１１を備える。拡散器５１１は、基板１１５に配置されたマイクロミラー５２７の配列を有してもよい。特に、マイクロミラー５２７の配列は、走査ミラーシステム１０６に対向する基板１１５に配置されるように示されている。
【００３３】
いくつかの実施例では、マイクロミラー５２７は、凸形状を有してもよい。いくつかの実施例では、マイクロミラー５２７は、金属（例えば、銅、ニッケル、アルミニウム、金、スチールまたはこれらの任意の組み合わせ）から構成してもよい。いくつかの実施例では、マイクロミラー５２７は、シリコン、ガラス、ポリマー、フォトレジスト、ＰＭＭＡ、ポリカーボネート、石英、サファイア、ＰＥＴまたはこれらの任意の組み合わせから構成してもよい。いくつかの実施例では、マイクロミラー５２７は、アルミニウム、銀、ニッケル、金またはこれらの任意の組み合わせを含有する反射膜を有してもよい。
【００３４】
拡散器５１１はまた、マイクロミラー５２７と走査ミラーシステム１０６との間に配置された偏光格子５１８を備える。偏光格子５１８は、セル５１９−ａから構成してもよい。特に、要素５１８は、（例えば、セル５１９−１等を含む）第１セル群５２０−１と（例えば、５１９−２等を含む）第２セル群５２０−２とから構成してもよい。いくつかの実施例では、第１群５２０−１のセル５１９−ａは、四分の一波長板から構成してもよく、第２群５２０−２のセル５１９−ａは、それらを透過する光の偏光を実質的に変化させないように構成されている透過性材料から構成してもよい。示されているように、第１セル群５２０−１のセル５１９−ａおよび第２セル群５２０−２のセル５１９−ａは、光偏光格子５１８において交互に配置されている。
【００３５】
動作中に、直線偏光を有する光ビーム１０５が第１セル群５２０−１（例えば、偏光格子５１８の四分の一波長板の部分、セル５１９−１など）に入射すると、入力された偏光は、右円偏光に変換される。光は、その後、マイクロミラー５２７に反射し、左円偏光を有するかたちで拡散され、第１群５２０−１のセルに戻される。よって、拡散された光ビーム１０５（例えば、光波１０５−１など）は、入力される偏光に対して９０度回転した直線偏光を有する。
【００３６】
入力される光ビーム１０５は、例えば、第２群５２０−２のセル５１９−ａに入射すると、実質的に偏光方向を変えずに透過する。マイクロミラー５２７による拡散により、入力されるビーム１０５と同じ偏光を有する拡散されたビームが形成される。ただし、当該拡散されたビームは、隣接するセル（例えば、セル５１９−１など）を透過するビームに対して直角をなす偏光を有する。よって、拡散されたビーム１０５−１および１０５−２は、干渉せず、かつ、点１２１においてモワレ模様を生成せずまたは抑制させる。
【００３７】
図６は、光学システム６００の実施例を示す構成図である。光学システム６００は、説明が理解しやすいように、図１および５の識別番号を参照かつ使用して、記載される。ただし、当該実施例は、本文脈に限定されない。
【００３８】
なお、システム６００は、システム５００に示されるもの（光源１０３および走査ミラーシステム１０６を含む）と類似および／または同一のいくつかの構成要素を備えてもよい。ただし、システム６００は、マイクロミラー６２７の配列を備える拡散器６１１を備える。一般に、マイクロミラー６２７は、マイクロミラー要素５２７に類似してもよいが、顕著な違いとして、マイクロミラー６２７は、示されているように、凹形状である。拡散器６１１は、光ビーム１０５からの波が拡散器６１１に反射する点で、拡散器５１１と同様に機能してもよく、また、拡散器に反射する光波（例えば、拡散された光波１０５−１および１０５−２、拡散された光ビームなど）が実質的に互いに干渉しないように、それらの偏光が偏光格子５１９により修正されるようにしてもよい。
【００３９】
図７−１０は、上述の様々な拡散器に実装することができる光偏光格子の例を示す構成図である。特に、これらの光偏光格子は、上述の光偏光格子のうちの任意の一つ（例えば、要素１１８、３１８または５１８）として実装されてもよい。さらに、当該光偏光格子は、上述のどの拡散器（例えば、拡散器１１１、２１１、３１１、４１１、５１１および／または６１１など）に実装してもよい。なお、図１−６に示される偏光格子および拡散器は、側面から見たものであり、その一方、図７−１０に示される要素は、正面からみたものである。一般に、当該図面に関して記載される要素は、上述のセル１１９−ａおよび５１９−ａを参照して記載される。ただし、当該図面においては、例えば、模様付きミラー３２３を有する要素３１８を備えるようにしてもよい。実施例は、本文脈に限定されない。
【００４０】
図７に移り、より具体的に、光偏光格子７１８を説明する。当該要素７１８は、セル群７２０−１および７２０−２にグループ化されるセル７１９−ａを備えてもよい。第１セル群７２０−１（例えば、セル７１９−１、７１９−３、７１９−５および７１９−７などを含む）は、斜線により特定され、その一方、第２セル群７２０−２（例えば、セル７１９−２、７１９−４および７１９−６など）は、斜線が施されていない。いくつかの実施例では、各セル７１９−ａは、六角形状を有することができる。また、セルの配列の全体の形状は、六角形であってもよい。なお、示されている六角形状の代わりに、各セル７１９−ａの形状は、当該セルの配列の最も近くに配置されているミラーおよび／またはレンズの形状にしてもよい。
【００４１】
いくつかの実施例によれば、微少焦点レンズの配列（例えば、配列１１７および／または２１７）における各微少焦点レンズ、または、マイクロミラーの配列（例えば、配列５２７および／または６２７）における各マイクロミラーは、各セル７１９−ａに実質的に類似する正面形状および／または大きさを有してもよい。
【００４２】
動作中に、走査ミラーシステム１０６のミラー１０７はいくつかの軸を中心に回転するので、光ビーム１０５は、光ビーム１０５を拡散するための拡散器を走査し、その結果、拡散された光ビームは、拡散された光波１０５−１、１０５−２等を有するようになる。いくつかの実施例によれば、光ビーム１０５は、矢印７２９により示されるパターンで拡散器を走査してもよい。特に、光ビーム１０５は、セル群７２０−１および７２０−２を交互に走査してもよい。より具体的に、光ビーム１０５は、例えば、第１群７２０−１のセルを走査し、その後第２群７２０−２のセルを走査し、再び第１群７２０−１のセルを走査してもよい。いくつかの実施例では、第１セル群７２０−１および第２セル群７２０−２のセルは、前述の走査プロセスを容易に行えるように、拡散器に配置および／また配列してもよい。
【００４３】
いくつかの実施例によれば、拡散器は動作中に固定状態であってもよく、また、走査ミラーシステム１０６は、光ビーム１０５が拡散器を走査するように設置してもよい。いくつかの実施例によれば、光ビーム１０５は、セル７１９−ａの最大寸法に実質的に類似する直径を有するフットプリント（すなわち、スポットサイズ）７３１を有してもよい。いくつかの実施例によれば、光ビーム１０５は、ガウス光強度分布を有することができ、ここで、スポットサイズ７３１は、最大光強度の約１／２に対応してもよい。いくつかの実施例では、当該最大光強度は、スポットサイズ７３１の中心で取得および／または測定してもよい。なお、ガウス強度分布により、特定のセル７１９−ａに向けられている光ビーム１０５の一部は、少なくともいくつかの隣接するセル７１９−ａを照らし、そのため、当該セルの後ろに位置する微少焦点要素をも照らす。この特徴には、拡散器を備える従来の光学システムにおいてはモワレ模様を引き起こすという逆効果もあるが、隣接するセルからの拡散された光ビームが実質的に互いに干渉しないという本開示の実施例により解消することができる。
【００４４】
図８に移り、より具体的に、光偏光格子８１８を説明する。当該要素８１８は、セル群８２０−１および８２０−２にグループ化される各セル８１９−ａを備えてもよい。第１セル群８２０−１（例えば、セル８１９−１、８１９−２等）は、斜線により特定され、その一方、第２セル群８２０−２（例えば、セル８１９−３、８１９−４等）は、斜線が施されていない。いくつかの実施例では、各セル８１９−ａは、三角形状を有することができる。当該要素８１８において、複数のセル８１９−ａは、微少焦点レンズの配列（例えば、配列１１７および／または２１７）のうち対応する各微少焦点レンズ、または、マイクロミラーの配列（例えば、配列５２７および／または６２７）のうち対応する各マイクロミラーに関連づけてもよい（例えば、上に配置したり、最も近くに設置してもよい）。例えば、本図面において、破線は、各セル８１９−ａの周りの境界を表してもよく、その一方、実線は、各レンズまたはミラーに関連づけられたいくつかのセル８１９−ａの周りの境界を表してもよい。よって、本実施例において、各レンズまたはミラーは、６つのセル８１９−ａに関連づけられてもよい。しかし、実施例は本文脈に限定されず、レンズまたはミラーは、任意の数のセル８１９−ａに関連づけられてもよい（ただし、当該セル８１９−ａの数は、少なくとも１つとする）。
【００４５】
図９に移り、より具体的に、光偏光格子９１８を説明する。当該要素９１８は、セル群９２０−１および９２０−２にグループ化されるセル９１９−ａを備えてもよい。第１セル群９２０−１（例えば、セル９１９−２、９１９−４、９１９−６および９１９−８などを含む）は、斜線により特定され、その一方、第２セル群９２０−２（例えば、セル９１９−１、９１９−３、９１９−５、９１９−７および９１９−９など）は、斜線が施されていない。いくつかの実施例では、各セル９１９−ａは、正方形状を有することができる。また、セルの配列の全体の形状は、正方形であってもよい。いくつかの実施例によれば、微少焦点レンズの配列（例えば、配列１１７および／または２１７）の各微少焦点レンズ、または、マイクロミラーの配列（例えば、配列５２７および／または６２７）の各マイクロミラーは、各セル９１９−ａに実質的に類似する正面形状および／または大きさを有してもよい。
【００４６】
図１０に移り、より具体的に、光偏光格子１０１８を説明する。当該要素１０１８は、セル群１０２０−１および１０２０−２にグループ化される各セル１０１９−ａを備えてもよい。第１セル群１０２０−１（例えば、セル１０１９−１、１０１９−３等）は、斜線により特定され、その一方、第２セル群１０２０−２（例えば、セル１０２０−２、１０２０−４等）は、斜線が施されていない。いくつかの実施例では、各セル１０２０−ａは、三角形状を有することができる。当該要素１０１８において、複数のセル１０１９−ａは、微少焦点レンズの配列（例えば、配列１１７および／または２１７）のうち対応する各微少焦点レンズ、または、マイクロミラーの配列（例えば、配列５２７および／または６２７）のうち対応する各マイクロミラーに関連づけてもよい（例えば、上に配置したり、最も近くに設置してもよい）。例えば、本図面において、破線は、各セル１０１９−ａの周りの境界を表してもよく、その一方、実線は、各レンズまたはミラーに関連づけられたいくつかのセル１０１９−ａの周りの境界を表してもよい。よって、本実施例において、各レンズまたはミラーは、４つのセル１０１９−ａに関連づけられてもよい。しかし、実施例は本文脈に限定されず、レンズまたはミラーは、任意の数のセル１０１９−ａに関連づけられてもよい（ただし、当該セル１０１９−ａの数は、少なくとも１つとする）。
【００４７】
いくつかの実施例によれば、拡散器におけるセル（例えば、セル１１９−ａ、３１９−ａ、ミラー部３２３、セル５１９−ａ、７１９−ａ、８１９−ａ、９１９−ａおよび／または１０１９−ａ）の正面形状は、ここに示されていない他の形状を有してもよい。例えば、当該形状は、円形、八角形、長円形などであってもよい。
【００４８】
さらに、いくつかの実施例では、拡散器（例えば、拡散器１１８、２１８、３１８、４１８、５１８、６１８）は、直線的な横輪郭を持つように示されている（例えば、図１−６参照）。ただし、いくつかの実施例によれば、拡散器は、曲線状の輪郭（例えば、実質的に球形の、半球形のまたは放物線状の輪郭）を有し得る。いくつかの実施例では、拡散器の輪郭は、セル（例えば、セル１１９−ａ、３２３−ａ、５１９−ａなど）が走査ミラーシステム１０６から実質的に等しい距離内となるようにしてもよい。
【００４９】
図１１は、本開示の実施例に従って光ビームを拡散するための論理フロー１１００を示す。論理フロー１１００は、ブロック１１１０「光ビームを受ける」から始めてもよい。ブロック１１１０において、走査ミラーシステム１０６は、光ビームを受けてもよい。例えば、システム１０６は、光ビーム１０５を光源１０３から受けてもよい。いくつかの実施例では、光ビーム１０５は、干渉性の光ビームおよび／または直線偏光の光ビームであってもよい。
【００５０】
ブロック１１２０「光ビームに拡散器を走査させる」へ進む。ブロック１１２０において、走査ミラーシステム１０６が作動し、光ビーム１０５が拡散器（例えば、拡散器１１１、２１１、３１１、４１１、５１１、６１１など）を走査する。特に、システム１０６のミラー１０７は、いくつかの軸を中心に回転し、光ビームの波を拡散器の別々の部分へ反射してもよい。例えば、システム１０６は、光ビームの（単一または複数の）第１波を拡散器の光偏光格子の第１セルへ、また、光ビームの（単一または複数の）第２波を拡散器の光偏光格子の第２セルへ反射してもよい。
【００５１】
ブロック１１３０「光ビームの部分間で偏光差をつける」へ進む。ブロック１１３０において、偏光格子（例えば、１１８、３１８、５１８など）は、光ビーム１０５の少なくとも１つの波の偏光を変化させ、光ビーム１０５の部分（例えば、波など）間で偏光に差をつけてもよい。例えば、要素１１８は、波１０５−１の偏光を変化させ、波１０５−１と波１０５−２との間で偏光の差ができるようにする。
【００５２】
ブロック１１４０「光ビームを拡散する」へ進む。ブロック１１４０において、拡散器（例えば、拡散器１１１、２１１、３１１、４１１、５１１、６１１など）は、光ビーム（偏光差をつけた部分を含む）を拡散させることにより、光ビームの少なくとも２つの波を視点において交わらせるようにしてもよい。いくつかの実施例では、視点において交わるように拡散された波は、実質的に直交する偏光を有し、当該波間の干渉が減少する。例えば、光波１０５−１および１０５−２は、点１２１において交わるように拡散される。しかし、波１０５−１および１０５−２は、直交する偏光を有するので、点１２１において実質的には干渉しない。よって、光ビーム１０５により投影される画像内のモワレ模様は抑制される。
【００５３】
図１２は、本開示の実施例に従って定められる拡散器を製造するための論理フロー１２００を示し、その一方、図１３は、製造工程途中の拡散器１３１１を示す。論理フロー１２００は、拡散器１３１１と併せて説明する。特に、図１２−１３は、合わせて説明する。ただし、論理フロー１２００は、本開示に係るさまざまな拡散器のうち任意のもの（例えば、拡散器１１１、２１１、３１１、４１１、５１１および／または６１１）の製造に適用してもよい。実施例は、本文脈に限定されない。
【００５４】
論理フロー１２００は、ブロック１２１０から始めてもよい。ブロック１２１０「基板および配向層を設ける」において、基板１１３および配向層１３３を設けてもよい。いくつかの実施例によれば、配向層１３３は、基板１１３上に堆積してもよい。いくつかの実施例によれば、配向層１３３は、ポリマー系材料から構成してもよい。いくつかの実施例によれば、配向層１３３は、例えば熱を用いて、硬化してもよい。
【００５５】
ブロック１２２０「光偏光格子層を基板上に形成する」へ進み、光偏光格子層（例えば、格子１１８）を、基板１１３上に形成してもよい。例えば、光軸は、配向層１３３内に定義してもよい。特に、配向層１３３には、マスキングを施し、紫外線（ＵＶ）照射を施し、光軸を形成するようにしてもよい。その後、光偏光層を、配向層１３３上に、堆積または積層などしてもよい。例えば、液晶ポリマーを、層１３３上に堆積してもよい。ポリマーの性質上、その光軸は、層１３３内に定義される光軸に合わせて並ぶようになる。光偏光材料は、例えばＵＶ光を当てて、硬化してもよい。いくつかの実施例では、光偏光材料は、ＵＶ光を当てて、架橋してもよい。このように、要素１１８のセル１１９−１、１１９−２等を形成してもよい。
【００５６】
ブロック１２３０「微少焦点要素の材料を光偏光層上に堆積する」へ進み、微少焦点要素の材料を、要素１１８の材料上に堆積する。
【００５７】
ブロック１２４０「マスター基板を設ける」へ進み、マスター基板１３５を設ける。マスター基板１３５は、微少焦点要素を形成する型または模様であってもよい。マスター基板は、銅、ニッケル、ガラス、ポリマーなどから構成してもよい。
【００５８】
ブロック１２５０「微少焦点要素を形成する」へ進み、微少焦点要素１１７を形成してもよい。例えば、微少焦点要素１１７は、加圧、熱エンボス加工または同様の工程により、形成してもよい。また、微少焦点要素１１７は、例えばＵＶ光を当てて、硬化してもよい。いくつかの実施例では、反射面を、要素１１７上に（例えば、反射要素、ミラー要素などを形成するために）堆積してもよい。例えば、反射面は、アルミニウム、銀、金、保護用耐食物質またはこれらの組み合わせから構成してもよい。この保護用耐食物質は、二酸化ケイ素、窒化ケイ素、酸化チタンまたは五酸化タンタル、あるいはこれらの組み合わせから構成してもよい。
【００５９】
図１４は、記憶媒体２０００の実施形態を示す。記憶媒体２０００は、製造物から構成してもよい。いくつかの実施例では、記憶媒体２０００は、任意の非一過性コンピュータ可読媒体または機械可読媒体（例えば、光学式、磁気式または半導体記憶装置）を含んでもよい。記憶媒体２０００は、様々な種類のコンピュータ実行可能命令（例えば、２００２）を記憶してもよい。例えば、記憶媒体２０００は、テクニック１１００を実行するための様々な種類のコンピュータ実行可能命令を記憶してもよい。別の実施例として、記憶媒体２０００は、テクニック１２００を実行するための様々な種類のコンピュータ実行可能命令を記憶してもよい。
【００６０】
コンピュータ可読または機械可読記憶媒体の実施例としては、電子データを記憶することができる任意の有形媒体（揮発性メモリまたは不揮発性メモリ、着脱可能または着脱不可能メモリ、消去可能または消去不可能メモリ、書き込み可能または書き換え可能メモリ等を含む）が挙げられる。コンピュータ実行可能命令の実施例のとしては、任意の適切な種類のコード（例えば、ソースコード、コンパイルコード、解釈コード、実行可能コード、静的コード、動的コード、オブジェクト指向コード、視覚コード等）が挙げられる。当該実施例は、本文脈に限定されない。
【００６１】
図１５は、例示的なシステムの実施形態の図であり、特に、プラットフォーム３０００を示す。このプラットフォーム３０００は、様々な要素を備えてもよい。例えば、当該図面は、プラットフォーム（システム）３０００は、以下の構成要素を備えてもよいことを示している。すなわち、プロセッサ／グラフィックスコア３００２、チップセット／プラットフォームコントロールハブ（ＰＣＨ）３００４、入力／出力（Ｉ／Ｏ）装置３００６、ランダムアクセスメモリ（ＲＡＭ）（例えば、ダイナミックＲＡＭ（ＤＲＡＭ））３００８、読み出し専用メモリ（ＲＯＭ）３０１０、表示用電子機器３０２０、プロジェクタ３０２２（例えば、拡散器１１１、２１１、３１１、４１１、５１１、６１１などを含む）および他の様々なプラットフォーム構成要素３０１４（例えば、ファン、クロスフロー式ブロワ、ヒートシンク、ＤＴＭシステム、冷却システム、筐体、通気孔等）を備えてもよい。システム３０００はまた、無線通信チップ３０１６およびグラフィックス装置３０１８を備えてもよい。ただし、当該実施形態は、これらの要素に限定されない。
【００６２】
示されているように、Ｉ／Ｏ装置３００６、ＲＡＭ３００８およびＲＯＭ３０１０は、チップセット３００４を介してプロセッサ３００２に結合されている。チップセット３００４は、バス３０１２によりプロセッサ３００２に結合されてもよい。よって、バス３０１２は、複数の線を備えてもよい。
【００６３】
プロセッサ３００２は、１つ以上のプロセッサコアから構成される中央処理装置であってもよく、また、任意の数のプロセッサコアを有する任意の数のプロセッサを備えてもよい。プロセッサ３００２は、任意の種類の処理ユニット（例えば、ＣＰＵ、マルチプロセッシングユニット、縮小命令セットコンピュータ（ＲＩＳＣ）、パイプラインを有するプロセッサ、複雑命令セットコンピュータ（ＣＩＳＣ）、デジタルシグナルプロセッサ（ＤＳＰ）等）を備えてもよい。いくつかの実施形態において、プロセッサ３００２は、別個の集積回路チップに設置された複数の別個のプロセッサであってもよい。プロセッサ３００２が、統合グラフィックスを有するプロセッサであってもよい実施形態もあれば、プロセッサ３００２が、単一または複数のグラフィックスコアであってもよい実施形態もある。
【００６４】
実施形態によっては、「一実施形態（ｏｎｅ  ｅｍｂｏｄｉｍｅｎｔ）」または「一つの実施形態（ａｎ  ｅｍｂｏｄｉｍｅｎｔ）」という表現（これらの派生語を含む）を用いて説明している場合もある。これらの用語は、当該実施形態に関して説明される特定の特徴、構造または特性が、少なくとも１つの実施形態に含まれているということを意味している。明細書の様々な箇所に「一実施形態において」という表現があっても、必ずしも同一の実施形態に言及しているわけではない。さらに、実施形態によっては、「結合され（ｃｏｕｐｌｅｄ）」および「接続され（ｃｏｎｎｅｃｔｅｄ）」という表現（これらの派生語を含む）を用いて説明している場合もある。これらの用語は、必ずしも互いの同義語を指すわけではない。例えば、いくつかの実施形態では、「接続され」および／または「結合され」という用語を用いて、２つ以上の要素が、物理的または電気的に互いに直接接触していることを示す場合もある。ただし、「結合され」という用語はまた、２つ以上の要素が、互いに直接接触してはいないが、互いに協働または作用しあうことを意味する場合もある。さらに、異なる実施形態の様態や要素を、組み合わせる場合もある。
【００６５】
本開示の要約は、読み手に本開示の技術内容の本質を素早く理解してもらうことを目的に設けられていることを強調しておく。当該要約は、請求項の範囲または意味を解釈または限定するためには用いられないという理解のもと提出されている。また、前述の詳細な説明において、本開示を簡素化する目的で、様々な特徴が単一の実施形態にまとめてグループ化されている。この開示方法は、請求された実施形態が各請求項に明示的に記載されたものよりも多くの特徴を必要とするという意図を示すものとして解釈されるものではない。むしろ、以下の請求項が示すように、進歩的な主題は、開示された単一の実施形態のすべての特徴よりも少ない。よって、以下の請求項は、詳細な説明に組み込まれ、各請求項は別個の実施形態として独立する。最後に追記されている請求項において、「含む/備える/有する（ｉｎｃｌｕｄｉｎｇ）」および「〜における/を特徴とする（ｉｎ  ｗｈｉｃｈ）」という用語は、それぞれ「含む/備える/有する（ｃｏｍｐｒｉｓｉｎｇ）」および「〜における/を特徴とする（ｗｈｅｒｅｉｎ）」の簡潔な英語の同等用語として用いられる。さらに、「第１」、「第２」、「第３」等の用語は、単に表示として用いられ、それらの対象物に対して数的要件を課すものではない。
【００６６】
上述の説明には、開示された構成の実施例が含まれている。もちろん、構成要素および／または方法論の考えられるあらゆる組み合わせを説明することは不可能だが、当業者は、さらにたくさんの組み合わせおよび置き換えが可能であると考えるだろう。よって、新規な構成は、最後に追記されている請求項の趣旨および範囲内のすべての変更、修正および変形を含むものとする。ここで、詳細な開示は、さらなる実施形態に関する実施例の説明に移る。以下に示す実施例は、限定を意図するものではない。
【００６７】
実施例１．
光ビームを受け、前記光ビームの一部分の偏光を変化させる光偏光格子と、
前記光偏光格子に光学的に結合され、前記光ビームを拡散する微少焦点要素の配列と
を備える装置。
【００６８】
実施例２．
請求項１に記載の装置において、
前記光偏光格子は、複数のセルを備え、
前記複数のセルの第１群は、前記光ビームの少なくとも第１波の偏光を変化させる、装置。
【００６９】
実施例３．
請求項２に記載の装置において、
前記複数のセルの第２群は、前記光ビームのうちの実質的に最初の偏光を有する少なくとも第２波を透過させる、装置。
【００７０】
実施例４．
請求項３に記載の装置において、
前記微少焦点要素の配列は、前記第１および第２波を点で交わるように拡散する、装置。
【００７１】
実施例５．
請求項３に記載の装置において、
前記第１波の偏光および前記第２波の前記偏光は、前記点において実質的に非干渉である、装置。
【００７２】
実施例６．
請求項３に記載の装置において、
前記第１群における前記複数のセルの光軸の配向は、前記第２群における前記複数のセルの光軸の配向とは異なる、装置。
【００７３】
実施例７．
請求項３に記載の装置において、
前記第１群における前記複数のセルは、少なくとも第１材料から構成され、
前記第２群における前記複数のセルは、少なくとも第２材料から構成され、
前記第１材料は、前記第２材料とは異なる、装置。
【００７４】
実施例８．
請求項３に記載の装置において、
前記第１群における前記複数のセルは、実質的に透過性である材料から構成され、
前記第２群における前記複数のセルは、反射材から構成される、装置。
【００７５】
実施例９．
請求項３に記載の装置において、
前記光ビームは、干渉性であり、かつ直線偏光を有し、
前記光ビームの拡散された前記第１波は、第１直線偏光を有し、
前記光ビームの拡散された前記第２波は、前記第１直線偏光に対して直交する第２直線偏光を有する、装置。
【００７６】
実施例１０．
請求項３に記載の装置において、
前記光ビームは、円偏光または楕円偏光を有し、
前記光ビームの拡散された前記第１波は、第１円偏光または楕円偏光を有し、
前記光ビームの拡散された前記第２波は、前記第１円偏光または楕円偏光とは逆の左右像を有する第２円偏光または楕円偏光を有する、装置。
【００７７】
実施例１１．
請求項３に記載の装置において、
前記微少焦点要素の配列の各要素は、前記複数のセルのうち少なくとも１つのセルに関連づけられる、装置。
【００７８】
実施例１２．
請求項３に記載の装置において、
前記第１群または前記第２群の少なくとも前記セルは、実質的に矩形または六角形または円形または三角形の正面形状を有する、装置。
【００７９】
実施例１３．
請求項１に記載の装置において、
前記光偏光格子は、四分の一波長板、半波長板、液晶材料、光配向液晶材料または光配向架橋性液晶材料から構成される、装置。
【００８０】
実施例１４．
請求項１に記載の装置において、
前記光偏光格子は、前記微少焦点要素の配列に光学的に結合され、前記光ビームの前記一部分の前記偏光が変化した後、前記光ビームを拡散する、装置。
【００８１】
実施例１５．
請求項１に記載の装置において、
前記微少焦点要素は、少なくとも１つのマイクロレンズまたはマイクロミラーから構成される、装置。
【００８２】
実施例１６．
請求項１に記載の装置において、
前記微少焦点要素の配列は、実質的に半球形の形状を有する、装置。
【００８３】
実施例１７．
光拡散器と、
光ビームを受け、前記光ビームに前記光拡散器を走査させる走査ミラーシステムと
を備えるシステムであり、
前記光拡散器は、
光ビームを受け、前記光ビームの一部分の偏光を変化させる光偏光格子と、
前記光偏光格子に光学的に結合され、光ビームを拡散する微少焦点要素の配列と
を有する、システム。
【００８４】
実施例１８．
請求項１７に記載のシステムにおいて、
前記光ビームを発する光源
を備えるシステム。
【００８５】
実施例１９．請求項１７に記載のシステムにおいて、
前記走査ミラーシステムは、少なくとも１つの軸を中心に回転するミラーを備え、前記光ビームに前記光拡散器を走査させる、システム。
【００８６】
実施例２０．
請求項１７に記載のシステムにおいて、
前記光偏光格子は、複数のセルを備え、
前記複数のセルの第１群は、前記光ビームの少なくとも第１波の偏光を変化させる、システム。
【００８７】
実施例２１．
請求項２０に記載のシステムにおいて、
前記複数のセルの第２群は、前記光ビームのうちの実質的に最初の偏光を有する少なくとも第２波を透過させる、システム。
【００８８】
実施例２２．
請求項２１に記載のシステムにおいて、
前記微少焦点要素の配列は、前記第１および第２波を点で交わるように拡散する、システム。
【００８９】
実施例２３．
請求項２１に記載のシステムにおいて、
前記第１波の偏光および前記第２波の前記偏光は、前記点において実質的に非干渉である、システム。
【００９０】
実施例２４．
請求項２１に記載のシステムにおいて、
前記第１群における前記複数のセルの光軸の配向は、前記第２群における前記複数のセルの光軸の配向とは異なる、システム。
【００９１】
実施例２５．
請求項２１に記載のシステムにおいて、
前記第１群における前記複数のセルは、少なくとも第１材料から構成され、
前記第２群における前記複数のセルは、少なくとも第２材料から構成され、
前記第１材料は、前記第２材料とは異なる、システム。
【００９２】
実施例２６．
請求項２１に記載のシステムにおいて、
前記第１群における前記複数のセルは、実質的に透過性である材料から構成され、
前記第２群における前記複数のセルは、反射材から構成される、システム。
【００９３】
実施例２７．
請求項２１に記載のシステムにおいて、
前記光ビームは、干渉性であり、かつ直線偏光を有し、
前記光ビームの拡散された前記第１波は、第１直線偏光を有し、
前記光ビームの拡散された前記第２波は、前記第１直線偏光に対して直交する第２直線偏光を有する、システム。
【００９４】
実施例２８．
請求項２１に記載のシステムにおいて、
前記光ビームは、円偏光または楕円偏光を有し
前記光ビームの拡散された前記第１波は、第１円偏光または楕円偏光を有し、
前記光ビームの拡散された前記第２波は、前記第１円偏光または楕円偏光とは逆の左右像を有する第２円偏光または楕円偏光を有する、システム。
【００９５】
実施例２９．
請求項２１に記載のシステムにおいて、
前記微少焦点要素の配列の各要素は、前記複数のセルのうち少なくとも１つのセルに関連づけられる、システム。
【００９６】
実施例３０．
請求項２１に記載のシステムにおいて、
前記第１群または前記第２群の少なくとも前記セルは、実質的に矩形の、六角形の、円形の、または三角形の正面形状を有する、システム。
【００９７】
実施例３１．
請求項１７に記載のシステムにおいて、
前記光偏光格子は、四分の一波長板、半波長板、液晶材料、光配向液晶材料または光配向架橋性液晶材料から構成される、システム。
【００９８】
実施例３２．
請求項１７に記載のシステムにおいて、
前記光偏光格子は、前記微少焦点要素の配列に光学的に結合され、前記光ビームの前記一部分の前記偏光が変化した後、前記光ビームを拡散する、システム。
【００９９】
実施例３３．
請求項１７に記載のシステムにおいて、
前記微少焦点要素は、少なくとも１つのマイクロレンズまたはマイクロミラーから構成される、システム。
【０１００】
実施例３４．
請求項１７に記載のシステムにおいて、
前記微少焦点要素の配列は、実質的に半球形の形状を有する、システム。
【０１０１】
実施例３５．
請求項１７に記載のシステムにおいて、
前記微少焦点要素の配列は、前記走査ミラーシステムと前記光偏光格子との間に配置される、システム。
【０１０２】
実施例３６．
請求項１７に記載のシステムにおいて、
前記光偏光格子は、前記走査ミラーシステムと前記微少焦点要素の配列との間に配置される、システム。
【０１０３】
実施例３７．
光源からの光ビームを受ける工程と、
前記光ビームの第１部分の偏光を変化させる工程と、
前記光ビームを拡散し、前記光ビームの前記第１部分と前記光ビームの第２部分とを視点へ透過させる工程と
を備える方法。
【０１０４】
実施例３８．
請求項３７に記載の方法において、
前記光ビームの前記第１部分および前記光ビームの前記第２部分は、前記視点において異なる偏光を有する、方法。
【０１０５】
実施例３９．
請求項３８に記載の方法において、
前記光ビームの前記第１部分の前記偏光は、前記光ビームの前記第２部分の前記偏光に対して直交する、方法。
【０１０６】
実施例４０．
請求項３８に記載の方法において、
前記光ビームの前記第１部分の前記偏光は、前記光ビームの前記第２部分の前記偏光とは逆の左右像を有する、方法。
【０１０７】
実施例４１．
請求項３８に記載の方法において、
前記光ビームを拡散する前に、前記光ビームの前記一部分の前記偏光を変化させる工程
を備える方法。
【０１０８】
実施例４２．
光偏光格子を基板上に堆積する工程と、
透過基板を前記光偏光要素上に堆積する工程と、
型取りしたマスクを用いて前記透過基板を模様付けする工程と
を備える方法であり、
前記光偏光格子は、第１光偏光領域と、第２光偏光領域とを有し、
前記第１光偏光領域および前記第２光偏光領域は、前記第１光偏光領域に入射する光の第１波と前記第２光偏光領域に入射する光の第２波との間で前記偏光に差をつけるように構成されている、方法。
【０１０９】
実施例４３．
請求項４２に記載の方法において、
前記透過基板を硬化する工程を備える方法。
【０１１０】
実施例４４．
請求項４３に記載の方法において、
前記透過基板を模様付けする工程を備える方法であって、
熱エンボス、型打ちまたは加圧により、微少模様付き表面を作る、方法。
【０１１１】
実施例４５．
請求項４４に記載の方法において、
前記透過基板を硬化する工程により、前記微少模様付き表面を硬化する、方法。
【０１１２】
実施例４６．
請求項４５に記載の方法において、
前記マスクは、ローラー上に設置され、
前記透過基板を模様付けする工程は、
前記ローラーを回転軸を中心に回転させる工程と、
前記基板を前記ローラーに対して押圧する工程と、
前記基板を動かし、前記基板の様々な領域に模様付けする工程と
を含む、方法。
【０１１３】
実施例４７．
少なくとも１つの非一過性コンピュータ可読記憶媒体であって、
プロセッサにより実行されると、前記プロセッサに請求項３７−４６のいずれか一つの方法を実行させる命令を備える、非一過性コンピュータ可読記憶媒体。
【０１１４】
実施例４８．
請求項３７−４６のいずれか一つの方法を実行する手段を備える装置。
【０１１５】
実施例４９．
光ビームの複数の波を受ける光偏光格子と、
前記光偏光格子に光学的に結合され、前記光ビームを拡散する微少焦点要素の配列とを備えるシステムであり、
前記複数の波は、それぞれ初期偏光を有し、
前記光偏光格子は、複数のセルを備え、
前記複数のセルの第１群は、前記複数の波のうち少なくとも第１波の前記初期偏光を変化させ、
前記複数のセルの第２群は、前記複数の波のうち前記初期偏光を有する少なくとも第２波を透過させる、システム。
【０１１６】
実施例５０．
請求項４９に記載のシステムにおいて、
前記光ビームを受け、前記光ビームに前記光偏光格子を走査させる走査ミラーシステムを備える、システム。
【０１１７】
実施例５１．
請求項５０に記載のシステムにおいて、
前記微少焦点要素の配列は、前記複数の波のうち、前記第１波および前記第２波を点で交わるように拡散し、
前記第１波の偏光と前記第２波の前記偏光は、前記点において実質的に非干渉である、システム。
【０１１８】
実施例５２．
請求項５１に記載のシステムにおいて、
前記初期偏光は、直線偏光であり、
前記複数のセルの前記第１群は、前記複数の波のうち少なくとも前記第１波の前記初期偏光を変化させ、前記初期偏光に対して直交になるようにする、システム。
【０１１９】
実施例５３．
請求項５１に記載のシステムにおいて、
前記初期偏光は、円偏光であり、
前記複数のセルの前記第１群は、前記複数の波のうち少なくとも前記第１波の前記偏光の左右像を変化させる、システム。
【図１】
2017534897.tif 000003
【図２】
2017534897.tif 000004
【図３】
2017534897.tif 000005
【図４】
2017534897.tif 000006
【図５】
2017534897.tif 000007
【図６】
2017534897.tif 000008
【図７】
2017534897.tif 000009
【図８】
2017534897.tif 000010
【図９】
2017534897.tif 000011
【図１０】
2017534897.tif 000012
【図１１】
2017534897.tif 000013
【図１２】
2017534897.tif 000014
【図１３】
2017534897.tif 000015
【図１４】
2017534897.tif 000016
【図１５】
2017534897.tif 000017
【国際調査報告】
2017534897.tif 000018
2017534897.tif 000019